(57)【特許請求の範囲】
【請求項１】
処理対象のドレン水を供給する供給側配管を接続するための第１の配管接続部と、処理を完了したドレン水を排出する排出側配管を接続するための第２の配管接続部と、筒状のフィルタエレメント用容器内に油吸着材が充填されたフィルタエレメントと、前記第１の配管接続部および前記第２の配管接続部がそれぞれ連結されると共に前記フィルタエレメントが取り外し可能に装着されるベース部と、前記ベース部に取り付けられた前記フィルタエレメントを覆うようにして当該ベース部に対して取り外し可能に装着される有底筒状のハウジングとを備え、前記供給側配管を介して供給された前記ドレン水を前記第１の配管接続部から導入して前記フィルタエレメント内を通過させた後に前記第２の配管接続部から前記排出側配管に排出する油水分離装置、並びに、冷凍装置を備えて当該冷凍装置によって圧縮空気を冷却して当該圧縮空気中の水分を結露させて除去すると共に当該除去した水分を前記処理対象のドレン水として排出する除湿装置を備え、
前記除湿装置は、前記冷凍装置から排出される熱を当該除湿装置の筐体の外部に排熱するための排熱孔が当該筐体の側面パネルに設けられ、
前記油水分離装置は、前記第１の配管接続部、前記第２の配管接続部および前記ベース部の少なくとも１つに当該油水分離装置を釣支して壁面に固定するための固定具が取り付けられると共に、当該固定具によって前記壁面としての前記側面パネルの外表面における前記排熱孔の近傍に固定されている圧縮空気除湿システム。
【請求項２】
前記固定具は、側面視Ｌ字状のブラケットと、当該ブラケットにおける水平延出部に対して前記少なくとも１つを取り付ける取付具とを備えて構成されている請求項１記載の圧縮空気除湿システム。
【請求項３】
前記油水分離装置を２つ備え、当該両油水分離装置の１つにおける前記第１の配管接続部に前記供給側配管を接続すると共に当該１つの油水分離装置における前記第２の配管接続部と当該両油水分離装置の他の１つにおける前記第１の配管接続部とを相互に連結し、かつ、当該他の１つの油水分離装置における前記第２の配管接続部に前記排出側配管を接続した請求項１または２記載の圧縮空気除湿システム。
【発明の詳細な説明】
【技術分野】
【０００１】
本発明は、処理対象のドレン水から油分を除去する油水分離装置を備えた圧縮空気除湿システムに関するものである。
【背景技術】
【０００２】
この種の圧縮空気除湿システムとして、出願人は、油水分離装置付きエアドライヤを特開２００１−２５９３４６号公報に開示している。この場合、出願人が開示している油水分離装置付きエアドライヤでは、ドライヤ本体および油水分離装置が１つの筐体内に収容されて一体化されている（以下、単に「エアドライヤ」ともいう）。また、この種の装置に搭載される油水分離装置では、油分や異物を含むドレン水がフィルタを通過する際に、油分や異物がフィルタに付着してドレン水から除去される構成が採用されている。この場合、出願人が開示しているエアドライヤの油水分離装置では、繊維状に加工した樹脂材料の原反を細断した油吸着材をフィルタとして採用している。したがって、長期に亘る使用に伴ってフィルタに多量の油分や異物が付着したときには、このフィルタを新しいものに交換することで、引き続き、ドレン水から油分や異物を除去することが可能となる。
【特許文献１】特開２００１−２５９３４６号公報（第２−３頁、第１−５図）
【発明の開示】
【発明が解決しようとする課題】
【０００３】
ところが、出願人が開示している従来のエアドライヤには、以下の解決すべき課題がある。すなわち、出願人が開示しているエアドライヤでは、ドライヤ本体および油水分離装置が１つの筐体内に収容されて一体化されている。この場合、出願人が開示しているエアドライヤのうち、特に、ドライヤ本体および油水分離装置を筐体内に並べて設置したタイプのエアドライヤでは、ドライヤ本体および油水分離装置の双方を収容可能な大きな筐体が必要となっている。したがって、出願人が開示しているエアドライヤには、大きな筐体によって貴重な設置スペースが占有されているという課題がある。
【０００４】
また、出願人が開示しているエアドライヤでは、油水分離装置がドライヤ本体と共に筐体内に収容されているため、フィルタの交換に先立って筐体の各パネルを分解する（フレームから筐体を取り外す）作業が必要となっている。さらに、出願人が開示しているエアドライヤでは、油水分離装置のフィルタの交換に際して、フレームに固定されている油水分離装置を取り外し、その後に、分離装置本体からフィルタを上方に持ち上げて取り外す必要がある。このため、筐体の取り外し作業や、分離装置本体の取り外し作業の分だけフィルタの交換作業が煩雑となっており、１台のエアドライヤの油水分離装置のフィルタを交換するのに半日ほどの作業時間を要している。また、この種の油水分離装置では、その重量が１００ｋｇ以上もあるため、分離装置本体を筐体から取り外す際には、フォークリフト等の重機を利用しつつ、複数の作業員で作業する必要がある。このように、出願人が開示しているエアドライヤには、フィルタの交換作業が煩雑となっているという課題がある。
【０００５】
本発明は、かかる改善すべき課題に鑑みてなされたものであり、貴重な設置スペースを無駄にすることなく、しかも、フィルタエレメントを容易に交換し得る圧縮空気除湿システムを提供することを主目的とする。
【課題を解決するための手段】
【０００６】
上記目的を達成すべく請求項１記載の圧縮空気除湿システムは、処理対象のドレン水を供給する供給側配管を接続するための第１の配管接続部と、処理を完了したドレン水を排出する排出側配管を接続するための第２の配管接続部と、筒状のフィルタエレメント用容器内に油吸着材が充填されたフィルタエレメントと、前記第１の配管接続部および前記第２の配管接続部がそれぞれ連結されると共に前記フィルタエレメントが取り外し可能に装着されるベース部と、前記ベース部に取り付けられた前記フィルタエレメントを覆うようにして当該ベース部に対して取り外し可能に装着される有底筒状のハウジングとを備え、前記供給側配管を介して供給された前記ドレン水を前記第１の配管接続部から導入して前記フィルタエレメント内を通過させた後に前記第２の配管接続部から前記排出側配管に排出する油水分離装置、並びに、冷凍装置を備えて当該冷凍装置によって圧縮空気を冷却して当該圧縮空気中の水分を結露させて除去すると共に当該除去した水分を前記処理対象のドレン水として排出する除湿装置を備え、前記除湿装置は、前記冷凍装置から排出される熱を当該除湿装置の筐体の外部に排熱するための排熱孔が当該筐体の側面パネルに設けられ、前記油水分離装置は、前記第１の配管接続部、前記第２の配管接続部および前記ベース部の少なくとも１つに当該油水分離装置を釣支して壁面に固定するための固定具が取り付けられると共に、当該固定具によって前記壁面としての前記側面パネルの外表面における前記排熱孔の近傍に固定されている。
【０００７】
また、請求項２記載の圧縮空気除湿システムは、請求項１記載の圧縮空気除湿システムにおいて、前記固定具が、側面視Ｌ字状のブラケットと、当該ブラケットにおける水平延出部に対して前記少なくとも１つを取り付ける取付具とを備えて構成されている。
【００１３】
さらに、請求項３記載の圧縮空気除湿システムは、請求項１または２記載の圧縮空気除湿システムにおいて、前記油水分離装置を２つ備え、当該両油水分離装置の１つにおける前記第１の配管接続部に前記供給側配管が接続されると共に当該１つの油水分離装置における前記第２の配管接続部と当該両油水分離装置の他の１つにおける前記第１の配管接続部とが相互に連結され、かつ、当該他の１つの油水分離装置における前記第２の配管接続部に前記排出側配管が接続されている。
【発明の効果】
【００１４】
請求項１記載の圧縮空気除湿システムでは、処理対象のドレン水を供給する供給側配管を接続するための第１の配管接続部と、処理を完了したドレン水を排出する排出側配管を接続するための第２の配管接続部と、第１の配管接続部および第２の配管接続部がそれぞれ連結されると共にフィルタエレメントが取り外し可能に装着されるベース部との少なくとも１つに、油水分離装置を釣支して壁面に固定するための固定具が取り付けられている。
【００１５】
したがって、この圧縮空気除湿システムによれば、従来のエアドライヤとは異なり、フィルタエレメントの交換に際して筐体を取り外す作業や分離装置本体をフレームから取り外す作業を不要とすることができる結果、交換作業を短時間でしかも容易に実行することができる。また、この圧縮空気除湿システムによれば、油水分離装置を壁面に取り付けたことによって油水分離装置の下方に十分に広いスペースを確保することができる。したがって、交換作業時にハウジングやフィルタエレメントをベース部に対して下方に移動させるだけでベース部から容易に取り外すことができるため、この圧縮空気除湿システムによれば、油分等を吸着してフィルタエレメントの重量が増加した状態においても容易に交換することができる。また、油水分離装置によって貴重な設置スペースが占有される事態を回避して、油水分離装置の下方に確保されるスペースを有効活用することができる。また、この圧縮空気除湿システムによれば、油水分離装置を固定具によって除湿装置の筐体における側面パネルの外表面に固定したことにより、油水分離装置の下方（すなわち、除湿装置の設置場所の周囲）の設置スペースを有効活用することができる。さらに、この圧縮空気除湿システムによれば、油水分離装置を側面パネルの外表面における排熱孔の近傍に固定したことにより、排熱孔からの排熱によって油水分離装置を暖めることができるため、冬期に圧縮空気除湿システムを使用する際に油水分離装置内でドレン水が凍結する事態を回避することができる。
【００１６】
また、請求項２記載の圧縮空気除湿システムによれば、側面視Ｌ字状のブラケットと、ブラケットにおける水平延出部に対して第１の配管接続部、第２の配管接続部およびベース部の少なくとも１つを取り付ける取付具とを備えて固定具を構成したことにより、壁面としての前記側面パネルの外表面に油水分離装置を容易に固定することができるだけでなく、簡易な構成の固定具を採用したことで製造コストを十分に低減することができる。
【００２１】
また、請求項３記載の圧縮空気除湿システムによれば、油水分離装置を２つ備えたことにより、一方の油水分離装置で除去し切れなかった油分や異物を他方の油水分離装置によって確実に除去することができる。
【発明を実施するための最良の形態】
【００２２】
以下、添付図面を参照して、本発明に係る圧縮空気除湿システムの最良の形態について説明する。
【００２３】
最初に、圧縮空気除湿システムＳ１Ａの構成について、図面を参照して説明する。
【００２４】
図１に示す圧縮空気除湿システムＳ１Ａは、本発明に係る圧縮空気除湿システムの一例であって、本発明における油水分離装置の一例である油水分離装置１Ａを２つ備えると共に、エアコンプレッサ２および除湿装置（エアドライヤ）３を備えて構成されている。この圧縮空気除湿システムＳ１Ａは、大気を所定の圧力に圧縮すると共に圧縮空気中に含まれる水分を除去して例えば工場設備（以下、「供給対象体」ともいう）に供給可能に構成されている。この場合、この圧縮空気除湿システムＳ１Ａでは、大気を圧縮するためのエアコンプレッサ２として、オイル式のエアコンプレッサを採用している。また、エアコンプレッサ２は、圧縮空気を除湿装置３に供給するために、圧縮空気供給用配管４ａによって除湿装置３に接続されている。さらに、エアコンプレッサ２は、大気の圧縮に際して生じたドレン水を油水分離装置１Ａに供給するために、ドレン水供給用配管５ａによって油水分離装置１Ａに接続されている。
【００２５】
除湿装置３は、本発明における除湿装置の一例であって、圧縮器４１ａ、蒸発器４１ｂ、膨張弁４１ｃおよび凝縮器４１ｄを有する冷凍装置４１が直方体状の筐体４２内（図２〜４参照）に収容されて構成されている。この除湿装置３は、エアコンプレッサ２によって圧縮されて圧縮空気供給用配管４ａを介して供給された圧縮空気を露点温度以下の所定温度まで冷却することにより、圧縮空気中の水分を結露させて除去する構成が採用されている。なお、除湿装置３のように冷凍装置４１によって圧縮空気中の水分を除去する装置の動作原理については公知のため、その詳細な説明を省略する。この場合、この除湿装置３では、冷凍装置４１における圧縮器４１ａや凝縮器４１ｄから排出される熱を筐体４２の外部に排熱するために、図３に破線で示すように、筐体４２の側面パネル（一例として、背面パネルＸ２）に排熱孔４２ａが設けられている。なお、排熱孔４２ａは、パンチングメタルや金網等で閉塞されて、筐体４２内への塵埃の侵入が阻止されている。
【００２６】
また、図１に示すように、この除湿装置３は、水分を除去した圧縮空気を供給対象体に供給するために、圧縮空気供給用配管４ｂによって供給対象体（図示せず）に接続されている。さらに、除湿装置３は、圧縮空気供給用配管４ａを介して供給された圧縮空気中から除去した水分（ドレン水）を油水分離装置１Ａに供給するために、ドレン水供給用配管５ａによって油水分離装置１Ａに接続されている。この場合、除湿装置３によって圧縮空気中から除去された水分（ドレン水）には、エアコンプレッサ２による大気の圧縮に際してエアコンプレッサ２内において生じたミスト（エアコンプレッサ２のシリンダ内で霧化した油）や、圧縮空気供給用配管４ａ内に錆が生じるのを回避するために圧縮空気供給用配管４ａの施工時に塗布された油などが含まれている。なお、本発明における除湿装置は、上記の除湿装置３のように冷凍装置４１によって圧縮空気中の水分を結露させて除去するタイプの装置に限定されず、フィルタ式の除湿装置を採用することもできる。
【００２７】
一方、油水分離装置１Ａは、図２〜４に示すように、除湿装置３の筐体４２における側面パネル（この例では、背面パネルＸ２：本発明における「壁面」の一例）に固定されている。この油水分離装置１Ａは、図５に示すように、ベース部１１、配管接続部１２ａ，１２ｂ、フィルタエレメント１３、ハウジング１４および固定具１８Ａを備え、エアコンプレッサ２や除湿装置３からドレン水供給用配管５ａを介して供給されるドレン水を対象とする油水分離処理を実行して、油分や異物を除去したドレン水をドレン水排出用配管５ｂを介して排出可能に構成されている。ベース部１１は、上端部側が閉塞された円筒状に形成されると共に、その内部には、フィルタエレメント１３を取り付けるためのフィルタヘッド１１ａが配設されている。また、ベース部１１の周壁には、ドレン水供給用配管５ａ（または、連結用配管５ｃ）が接続される配管接続部１２ａ（本発明における「第１の配管接続部」）と、ドレン水排出用配管５ｂ（または、連結用配管５ｃ）が接続される配管接続部１２ｂ（本発明における「第２の配管接続部」）とがそれぞれ連結されている。なお、配管接続部１２ｂは、ベース部１１の周壁を貫通してフィルタヘッド１１ａに連結され、これにより、フィルタヘッド１１ａを介してフィルタエレメント１３とドレン水排出用配管５ｂ（または、連結用配管５ｃ）とを連通させる。
【００２８】
この場合、上記のドレン水供給用配管５ａは、本発明における供給側配管の一例であって、この圧縮空気除湿システムＳ１Ａでは、図３，４における左側の油水分離装置１Ａの配管接続部１２ａに接続されている。さらに、上記のドレン水排出用配管５ｂは、本発明における排出側配管の一例であって、この圧縮空気除湿システムＳ１Ａでは、図３，４における右側の油水分離装置１Ａの配管接続部１２ｂに接続されている。また、上記の連結用配管５ｃは、図３，４における左側の油水分離装置１Ａにとっては、本発明における排出側配管に相当し、同図における右側の油水分離装置１Ａにとっては、本発明における供給側配管に相当する。具体的には、連結用配管５ｃは、図３，４における左側の油水分離装置１Ａの配管接続部１２ｂと右側の油水分離装置１Ａの配管接続部１２ａとを相互に接続する配管であって、左側の油水分離装置１Ａによって排出されたドレン水を右側の油水分離装置１Ａに供給する。
【００２９】
フィルタエレメント１３は、図５に示すように、フィルタエレメント用容器１３ａと、フィルタエレメント用容器１３ａ内に収容された油吸着材１３ｂおよび不織布１３ｃとを備えている。フィルタエレメント用容器１３ａは、その底部に流入口２１ａが開口された容器本体２１と、流出口２２ａが形成されると共に容器本体２１の上方開口部に取り付けられた蓋体２２とを備えてベース部１１のフィルタヘッド１１ａに取り付け可能に構成されている。この場合、容器本体２１は、一例として、ポリプロピレンを用いたブロー成形処理によって容器状に加工した後に、その底部に流入口２１ａを開口することで形成されている。また、蓋体２２は、一例としてポリエチレンを用いた射出成型処理によって形成されている。この場合、蓋体２２の外面における流出口２２ａの周縁部分には、フィルタヘッド１１ａとの連結管として機能する円筒体が立設されて、その内面にシール用のＯリング２３が配設されている。
【００３０】
なお、この油水分離装置１Ａでは、フィルタエレメント１３におけるドレン水の通過方向の長さ（すなわち、容器本体２１の底部から蓋体２２における円筒体の先端部までの距離Ｌ３）が、一例として、３１５ｍｍとなっている。また、油吸着材１３ｂは、一例として、板状のポリプロピレンの小片、または、繊維状のポリプロピレンを細断した小片で構成されている。また、不織布１３ｃは、繊維状のポリプロピレンで構成されている。この場合、この圧縮空気除湿システムＳ１Ａ（油水分離装置１Ａ）では、上記したように、フィルタエレメント１３の全体（フィルタエレメント用容器１３ａ、油吸着材１３ｂおよび不織布１３ｃのすべて）が樹脂材料で形成されているため、その重量が１０ｋｇ以下と非常に軽量となっている。したがって、後述する交換作業時には、フォークリフト等の重機が不要となっている。
【００３１】
ハウジング１４は、有底円筒体に形成されて、その内部にフィルタエレメント１３が収容されるようにして（フィルタエレメント１３を覆うようにして）ベース部１１に取り付けられる。また、ハウジング１４の底壁は、中央部分へ近づくに従って外側に突出するドーム状に形成されて、その最も突出した部位（中央部）にドレン口１５が配設されている。この場合、上記のように構成されたベース部１１およびハウジング１４は、一例として、ベース部１１の周壁における開口側端部（下端部）に、ハウジング１４の周壁における開口側端部（上端部）が挿入されて互いに連結されている。また、ベース部１１の周壁およびハウジング１４の周壁の各重合部分には、シール用のＯリング１６が配設されている。このベース部１１およびハウジング１４は、金属製のバンド１７によって連結部位を締め付けるようにして一体化されている。この場合、この油水分離装置１Ａでは、ハウジング１４の上端部からドレン口１５の下端部までの距離Ｌ４が、一例として、４００ｍｍとなっている。
【００３２】
一方、固定具１８Ａは、油水分離装置１Ａを壁面（この例では、除湿装置３の筐体４２における背面パネルＸ２の外表面）に取り付けるための固定用金具であって、この圧縮空気除湿システムＳ１Ａでは、２つの油水分離装置１Ａのうちの１つの配管接続部１２ａ、および他の１つの油水分離装置１Ａの配管接続部１２ｂの２カ所をそれぞれ固定具１８Ａによって保持して両油水分離装置１Ａを釣支（釣り下げて支持）するようにして固定する構成が採用されている。この固定具１８Ａは、図６に示すように、配管接続部１２ａ（または、配管接続部１２ｂ）を締め付けた状態で保持するＵ字ステー３１と、側面視Ｌ字状のブラケット３２ａと、ブラケット３２ａにＵ字ステー３１を固定するためのボルト３３と、配管接続部１２ａ（１２ｂ）およびＵ字ステー３１の間に配設された緩衝材３４（一例として、弾性樹脂またはゴム）とを備えて構成されている。
【００３３】
この場合、この固定具１８Ａでは、上記のＵ字ステー３１、ボルト３３および緩衝材３４が相俟って本発明における取付具を構成する。また、両ブラケット３２ａの水平延出部３５には、後述するよう両油水分離装置１Ａをスタンド５１（図９〜１１参照）によって自立させた状態で使用する際に両固定具１８Ａをスタンド５１に固定するためのボルト５５（図１０参照）を挿通可能な挿通用孔１９が形成されている。なお、この固定具１８Ａでは、ブラケット３２ａにおける水平延出部３５の上方に配管接続部１２ａ（１２ｂ）を載置するようにしてＵ字ステー３１によって締め付けた状態で保持する構成を採用しているが、ブラケット３２ａにおける水平延出部３５の下方に配管接続部１２ａ（１２ｂ）を配置してＵ字ステー３１等によって釣支する構成を採用することもできる。
【００３４】
次いで、圧縮空気除湿システムＳ１Ａ（油水分離装置１Ａ）の使用方法について、図面を参照して説明する。
【００３５】
この圧縮空気除湿システムＳ１Ａでは、上記したように、両油水分離装置１Ａを２つの固定具１８Ａによって釣支するようにして除湿装置３の筐体４２における背面パネルＸ２の外表面に固定する構成が採用されている。したがって、両油水分離装置１Ａを筐体４２の上方部位に固定することにより、両油水分離装置１Ａの下方に十分なスペースを確保することが可能となっている。この場合、上記したように、両油水分離装置１Ａのフィルタエレメント１３は、その下端部から上端部までの距離Ｌ３が３１５ｍｍとなっている。また、両油水分離装置１Ａは、ハウジング１４の上端部からドレン口１５の下端部までの距離Ｌ４が４００ｍｍとなっている。したがって、両油水分離装置１Ａの下方に確保されるスペースの高さ方向の距離Ｌ５（図２，３）が、上記の距離Ｌ４と等しい４００ｍｍ以上（すなわち、油水分離装置１Ａにおけるハウジング１４の上端部と床面Ｘ１と間の距離Ｌ１（図２，３参照）が上記の距離Ｌ３および距離Ｌ４の和である７１５ｍｍ以上）となるように両油水分離装置１Ａを筐体４２に固定することにより、フィルタエレメント１３をベース部１１に取り付けた状態を維持しつつ、ハウジング１４を下方に移動させてベース部１１から容易に取り外すことが可能となる。
【００３６】
この場合、ベース部１１からのハウジング１４の取り外しに際して、バンド１７を十分に拡げることができるように作業スペースを確保するためには、両油水分離装置１Ａを固定する壁面（この例では、筐体４２における背面パネルＸ２の外表面）とベース部１１およびハウジング１４との間の距離Ｌ２（図２，４参照）が３０ｍｍ以上となっているのが好ましい。これにより、バンド１７を十分に拡げてベース部１１からハウジング１４を容易に取り外すことが可能となる。これにより、ベース部１１に取り付けられているフィルタエレメント１３を容易に取り外すことが可能となる。この際に、両油水分離装置１Ａの下方に十分な広さのスペースが確保されているため、フィルタエレメント１３から滴り落ちるドレン水を収容するための容器（図示せず）を油水分離装置１Ａの下方に設置した状態でフィルタエレメント１３の交換作業を実施することができる。
【００３７】
なお、ベース部１１からハウジング１４を取り外した後にベース部１１からフィルタエレメント１３を取り外す際には、上記したように、両油水分離装置１Ａの下方のスペースにおける高さ方向の距離Ｌ５が４００ｍｍ以上必要となるが、例えば、ベース部１１に対するハウジング１４の連結を解除して、ハウジング１４をベース部１１に対して下方に向けて僅かに移動させた状態において、ハウジング１４内にフィルタエレメント１３を落下させるようにして、ベース部１１からフィルタエレメント１３を取り外すこともできる。このような取り外し方法を採用する場合においては、フィルタエレメント１３の上端部（例えば、蓋体２２の外周部）に触れることができる状態までハウジング１４を下方に移動させるだけで済むため、両油水分離装置１Ａの下方のスペースにおける高さ方向の距離Ｌ５が１００ｍｍ程度あれば、ベース部１１からフィルタエレメント１３を取り外すことが可能となる。
【００３８】
この場合、前述したように、フィルタエレメント１３が非常に軽量に構成されているため、両油水分離装置１Ａのフィルタエレメント１３の交換時には、フォークリフト等の重機が不要となるだけでなく、１人の作業員で作業したとしても、３０分以下で作業を完了することが可能となっている。なお、この圧縮空気除湿システムＳ１Ａ（油水分離装置１Ａ）で採用されているフィルタエレメント１３は、出願人が開示している従来のエアドライヤにおける油水分離装置のフィルタエレメントよりも小型となっている。したがって、その交換頻度は、従来の装置よりもある程度多くなっている。しかしながら、上記したように、非常に短時間で容易に交換することができるため、つまり、メンテナンス性が向上されているため、交換作業時の人的負荷や時間的負荷が十分軽減されている。さらに、上記のように交換作業が容易であるため、フィルタエレメント１３のフィルタリング能力が大きく低下する前に、短期間で定期的に交換することが可能となっている。また、この圧縮空気除湿システムＳ１Ａでは、前述したように、除湿装置３の筐体４２における排熱孔４２ａの近傍に両油水分離装置１Ａを固定している。このため、圧縮空気除湿システムＳ１Ａの稼働時には、筐体４２内の冷凍装置４１（圧縮器４１ａや凝縮器４１ｄ）からの排熱が排熱孔４２ａを通過して両油水分離装置１Ａに伝熱することとなる。したがって、ドレン水の凍結を招くような冬期においても、両油水分離装置１Ａが除湿装置３からの排熱によって暖められる。
【００３９】
このように、この油水分離装置１Ａおよび圧縮空気除湿システムＳ１Ａでは、処理対象のドレン水を供給するドレン水供給用配管５ａ（または、連結用配管５ｃ）を接続するための配管接続部１２ａと、処理を完了したドレン水を排出するドレン水排出用配管５ｂ（または、連結用配管５ｃ）を接続するための配管接続部１２ｂと、配管接続部１２ａ，１２ｂがそれぞれ連結されると共にフィルタエレメント１３が取り外し可能に装着されるベース部１１との少なくとも１つ（この例では、配管接続部１２ａ，１２ｂの２つ）に、油水分離装置１Ａを釣支して壁面および天井面のいずれか（この例では、除湿装置３における筐体４２の背面パネルＸ２：壁面の一例）に固定するための固定具１８Ａが取り付けられている。
【００４０】
したがって、この油水分離装置１Ａおよび圧縮空気除湿システムＳ１Ａによれば、従来のエアドライヤとは異なり、フィルタエレメント１３の交換に際して筐体４２を取り外す作業や分離装置本体（この例では、ベース部１１等）を取り外す作業を不要とすることができる結果、交換作業を短時間でしかも容易に実行することができる。また、この油水分離装置１Ａおよび圧縮空気除湿システムＳ１Ａによれば、両油水分離装置１Ａを壁面（この例では、筐体４２の背面パネルＸ２の外表面）に取り付けたことによって両油水分離装置１Ａの下方に十分に広いスペースを確保することができる。したがって、交換作業時にハウジング１４やフィルタエレメント１３をベース部１１に対して下方に移動させるだけでベース部１１から容易に取り外すことができるため、この油水分離装置１Ａおよび圧縮空気除湿システムＳ１Ａによれば、油分等を吸着してフィルタエレメント１３の重量が増加した状態においても容易に交換することができる。また、両油水分離装置１Ａによって貴重な設置スペースが占有される事態を回避して、両油水分離装置１Ａの下方に確保されるスペースを有効活用することができる。
【００４１】
また、この油水分離装置１Ａおよび圧縮空気除湿システムＳ１Ａによれば、側面視Ｌ字状のブラケット３２ａと、ブラケット３２ａにおける水平延出部３５に対して配管接続部１２ａ，１２ｂおよびベース部１１の少なくとも１つ（この例では、配管接続部１２ａ，１２ｂの２つ）を取り付けるＵ字ステー３１、ボルト３３および緩衝材３４（本発明における取付具）とを備えて固定具１８Ａを構成したことにより、除湿装置３の筐体４２（側面パネル等）に対して油水分離装置１Ａを容易に固定することができるだけでなく、簡易な構成の固定具１８Ａを採用したことで製造コストを十分に低減することができる。
【００４２】
また、この油水分離装置１Ａおよび圧縮空気除湿システムＳ１Ａによれば、油水分離装置１Ａを固定具１８Ａによって除湿装置３の筐体４２における側面パネル（この例では、背面パネルＸ２）の外表面に固定したことにより、両油水分離装置１Ａの下方（すなわち、除湿装置３の設置場所の周囲）の設置スペースを有効活用することができる。
【００４３】
さらに、この油水分離装置１Ａおよび圧縮空気除湿システムＳ１Ａによれば、油水分離装置１Ａを側面パネル（この例では、背面パネルＸ２）の外表面における排熱孔４２ａの近傍に固定したことにより、排熱孔４２ａからの排熱によって両油水分離装置１Ａを暖めることができるため、冬期に圧縮空気除湿システムＳ１Ａを使用する際に両油水分離装置１Ａ内でドレン水が凍結する事態を回避することができる。
【００４４】
さらに、この圧縮空気除湿システムＳ１Ａによれば、油水分離装置１Ａを２つ備えたことにより、一方の油水分離装置１Ａで除去し切れなかった油分や異物を他方の油水分離装置１Ａによって確実に除去することができる。
【００４５】
なお、上記の圧縮空気除湿システムＳ１Ａでは、除湿装置３の筐体４２における背面パネルＸ２の外表面に固定具１８Ａによって両油水分離装置１Ａを固定する構成を採用しているが、例えば、エアコンプレッサ２や除湿装置３を設置した建物の壁面に固定具１８Ａによって両油水分離装置１Ａを固定する構成を採用することもできる。このような構成においても、上記の油水分離装置１Ａや圧縮空気除湿システムＳ１Ａと同様にして、従来のエアドライヤとは異なり、フィルタエレメント１３の交換に際して筐体４２を取り外す作業を不要とすることができる結果、交換作業を短時間でしかも容易に実行することができる。また、両油水分離装置１Ａを壁面に取り付けたことによって両油水分離装置１Ａの下方に十分に広いスペースを確保することができる。したがって、交換作業時にハウジング１４やフィルタエレメント１３をベース部１１に対して下方に移動させるだけでベース部１１から容易に取り外すことができるため、油分等を吸着してフィルタエレメント１３の重量が増加した状態においても容易に交換することができる。また、両油水分離装置１Ａによって貴重な設置スペースが占有される事態を回避して、両油水分離装置１Ａの下方に確保されるスペースを有効活用することができる。
【００４６】
また、図７に示す圧縮空気除湿システムＳ１Ｂでは、２つの油水分離装置１Ｂを２つの固定具１８Ｂによって天井面Ｘ３（一例として、圧縮空気除湿システムＳ１Ｂを設置した建物の天井）から釣り下げるようにして固定する構成を採用している。なお、この圧縮空気除湿システムＳ１Ｂおよび油水分離装置１Ｂにおいて前述した圧縮空気除湿システムＳ１Ａおよび油水分離装置１Ａと同一の機能を有する構成要素については、同一の符号を付して重複する説明を省略する。この圧縮空気除湿システムＳ１Ｂ（油水分離装置１Ｂ）では、上記の圧縮空気除湿システムＳ１Ａ（油水分離装置１Ａ）における固定具１８Ａに代えて、両油水分離装置１Ｂを天井面Ｘ３に固定するための２つの固定具１８Ｂを備えている。
【００４７】
この場合、固定具１８Ｂは、２つの油水分離装置１Ｂのうちの１つの配管接続部１２ａ、および他の１つの油水分離装置１Ｂの配管接続部１２ｂの２カ所をそれぞれ保持して天井面Ｘ３に固定する構成が採用されている。具体的には、図８に示すように、固定具１８Ｂは、配管接続部１２ａ（または、配管接続部１２ｂ）を締め付けた状態で保持するためのＵ字ステー３１と、側面視コ字状のブラケット３２ｂと、ブラケット３２ｂに対してＵ字ステー３１を固定するためのボルト３３と、配管接続部１２ａ（１２ｂ）およびＵ字ステー３１の間に配設された緩衝材３４（一例として、弾性樹脂またはゴム）とを備えて構成されている。なお、この固定具１８Ｂでは、ブラケット３２ｂにおける下側の水平延出部３５の下方に配管接続部１２ａ（１２ｂ）を配置してＵ字ステー３１等によって釣支する構成を採用しているが、ブラケット３２ｂにおける下側の水平延出部３５の上方に配管接続部１２ａ（１２ｂ）を載置するようにしてＵ字ステー３１によって締め付けた状態で保持する構成を採用することもできる。
【００４８】
この圧縮空気除湿システムＳ１Ｂでは、上記したように、両油水分離装置１Ｂを２つの固定具１８Ｂによって釣支するようにして天井面Ｘ３に固定する構成が採用されている。このため、上記した圧縮空気除湿システムＳ１Ａ（油水分離装置１Ａ）と同様にして、両油水分離装置１Ｂの下方に十分なスペースを確保することが可能となっている。したがって、図７に示すように、両油水分離装置１Ｂの下方に例えば除湿装置３を設置して設置スペースを有効活用することが可能となっている。この場合、両油水分離装置１Ｂの下方に確保されるスペースの高さ方向の距離Ｌ５（この例では、油水分離装置１Ｂの下端部と除湿装置３における筐体４２の天板上面Ｘ１ａとの間の距離）が、前述した距離Ｌ４と等しい４００ｍｍ以上となるように両油水分離装置１Ｂを天井面Ｘ３に固定することにより、フィルタエレメント１３をベース部１１に取り付けた状態を維持しつつ、ハウジング１４を下方に移動させてベース部１１から容易に取り外すことが可能となる。
【００４９】
なお、ベース部１１からハウジング１４を取り外した後にベース部１１からフィルタエレメント１３を取り外す際には、上記したように、両油水分離装置１Ｂの下方のスペースにおける高さ方向の距離Ｌ５が４００ｍｍ以上必要となるが、例えば、ベース部１１に対するハウジング１４の連結を解除して、ハウジング１４をベース部１１に対して下方に向けて僅かに移動させた状態において、ハウジング１４内にフィルタエレメント１３を落下させるようにして、ベース部１１からフィルタエレメント１３を取り外すこともできる。このような取り外し方法を採用する場合においては、上記したように、フィルタエレメント１３の上端部（例えば、蓋体２２の外周部）に触れることができる状態までハウジング１４を下方に移動させるだけで済むため、両油水分離装置１Ｂの下方のスペースにおける高さ方向の距離Ｌ５が１００ｍｍ程度あれば、ベース部１１からフィルタエレメント１３を取り外すことが可能となる。
【００５０】
また、両油水分離装置１Ｂの下方に除湿装置３等を設置しない場合においては、両油水分離装置１Ｂが過剰に高い位置に固定されているときに、フィルタの交換作業に際して踏み台等が必要となり、交換作業が煩雑となるおそれがある。したがって、例えば、作業者の平均的な身長を１．７ｍとしたときに、ハウジング１４の上端部と床面Ｘ１との間の距離Ｌ１ａが１．５ｍ±４０ｃｍの範囲内となるように両油水分離装置１Ｂを固定具１８Ｂによって天井面Ｘ３に取り付けることにより、踏み台等を使用することなく、ベース部１１からハウジング１４やフィルタエレメント１３を取り外すことが可能となる。
【００５１】
このように、この油水分離装置１Ｂおよび圧縮空気除湿システムＳ１Ｂでは、処理対象のドレン水を供給するドレン水供給用配管５ａ（または、連結用配管５ｃ）を接続するための配管接続部１２ａと、処理を完了したドレン水を排出するドレン水排出用配管５ｂ（または、連結用配管５ｃ）を接続するための配管接続部１２ｂと、配管接続部１２ａ，１２ｂがそれぞれ連結されると共にフィルタエレメント１３が取り外し可能に装着されるベース部１１との少なくとも１つ（この例では、配管接続部１２ａ，１２ｂの２つ）に、油水分離装置１Ｂを釣支して壁面および天井面のいずれか（この例では、除湿装置３等を設置した建物の天井面Ｘ３）に固定するための固定具１８Ｂが取り付けられている。
【００５２】
したがって、この油水分離装置１Ｂおよび圧縮空気除湿システムＳ１Ｂによれば、従来のエアドライヤとは異なり、フィルタエレメント１３の交換に際して除湿装置３の筐体４２など取り外す作業や分離装置本体（この例では、ベース部１１等）を取り外す作業を不要とすることができる結果、交換作業を短時間でしかも容易に実行することができる。また、この油水分離装置１Ｂおよび圧縮空気除湿システムＳ１Ｂによれば、両油水分離装置１Ｂを天井面Ｘ３（この例では、除湿装置３等を設置した建物の天井面Ｘ３）に取り付けたことによって両油水分離装置１Ｂの下方に十分に広いスペースを確保することができる。したがって、交換作業時にハウジング１４やフィルタエレメント１３をベース部１１に対して下方に移動させるだけでベース部１１から容易に取り外すことができるため、この油水分離装置１Ｂおよび圧縮空気除湿システムＳ１Ｂによれば、油分等を吸着してフィルタエレメント１３の重量が増加した状態においても容易に交換することができる。また、両油水分離装置１Ｂによって貴重な設置スペースが占有される事態を回避して、両油水分離装置１Ｂの下方に確保されるスペースを有効活用することができる。
【００５３】
また、この油水分離装置１Ｂおよび圧縮空気除湿システムＳ１Ｂによれば、側面視コ字状のブラケット３２ｂと、ブラケット３２ｂにおける水平延出部３５に対して配管接続部１２ａ，１２ｂおよびベース部１１の少なくとも１つ（この例では、配管接続部１２ａ，１２ｂの２つ）を取り付けるＵ字ステー３１、ボルト３３および緩衝材３４とを備えて固定具１８Ｂを構成したことにより、除湿装置３等を設置した建物の天井面Ｘ３等に対して油水分離装置１Ｂを容易に固定することができるだけでなく、簡易な構成の固定具１８Ｂを採用したことで製造コストを十分に低減することができる。
【００５４】
一方、油水分離装置の使用形態は、除湿装置３の筐体４２における背面パネルＸ２や建物の壁面などに固定具１８Ａを介して固定した状態で使用する形態、および固定具１８Ｂを介して建物の天井面Ｘ３などに固定した状態で使用する形態に限定されない。具体的には、図９に示すスタンド５１を用いて、図１０，１１に示すように、床面Ｘ１上に油水分離装置１Ａを自立させた状態で使用する形態を採用することができる。この場合、スタンド５１は、図９に示すように、一対のビーム５２ａ、一対のビーム５２ｂ、１本のビーム５２ｃ、一対のポスト５３ａおよび一対のポスト５３ｂを備えて、前述した固定具１８Ａを固定可能に構成されている。この場合、このスタンド５１では、上記のポスト５３ａ，５３ｂの下端部をビーム５２ａによって連結するようにして、ポスト５３ａ、ビーム５２ａおよびポスト５３ｂが一体形成されている。また、各ポスト５３ａ，５３ｂの上側端部には、スタンド５１に両固定具１８Ａを固定するときに固定具１８Ａに形成されている挿通用孔１９（図６参照）に挿通させたボルト５５（図１０参照）を挿通させる挿通用孔５４が形成されている。
【００５５】
このスタンド５１は、両ポスト５３ａの下端部を両ビーム５２ｂの一方で連結すると共に、両ポスト５３ｂの下端部を両ビーム５２ｂの他方で連結し、かつ、両ポスト５３ｂの上下方向中央部上寄りにビーム５２ｃを掛け渡すようにして組み立てられている。なお、このスタンド５１では、各ビーム５２ａ，５２ｂが相俟って「脚部」を構成する。また、このスタンド５１では、両ポスト５３ａが「第１の支柱部」を構成し、両ポスト５３ｂが「第２の支柱部」を構成する。さらに、このスタンド５１では、各ポスト５３ａ，５３ｂの上側端部（挿通用孔５４が形成されている部位）が「被固定部」を構成する。また、以下の説明において、スタンド５１以外の構成要素（圧縮空気除湿システムＳ１Ａにおける油水分離装置１Ａおよび固定具１８Ａの各構成要素と同一の機能を有する構成要素）については、同一の符号を付して重複する説明を省略する。
【００５６】
このスタンド５１を使用して両油水分離装置１Ａを自立させた状態で使用する際には、まず、固定具１８Ａをスタンド５１に固定する。具体的には、図１０に示すように、ビーム５２ａを介して連結されているポスト５３ａ，５３ｂの両上端部の間に固定具１８Ａにおける水平延出部３５を掛け渡すようにしてスタンド５１内に両油水分離装置１Ａを配置する。次いで、固定具１８Ａにおける水平延出部３５の各挿通用孔１９およびスタンド５１における各ポスト５３ａ，５３ｂの挿通用孔５４にボルト５５をそれぞれ挿通させた状態で図示しないナットを締め付ける。これにより、スタンド５１における各ポスト５３ａ，５３ｂの上端部（被固定部）に対して両固定具１８Ａが固定され、この固定具１８Ａを介して両油水分離装置１Ａがスタンド５１に固定される。この状態において、図１０，１１に示すように、各ビーム５２ａ，５２ｂ（脚部）が床面Ｘ１に接するようにスタンド５１を設置することにより、両油水分離装置１Ａを自立させた状態で使用することが可能となる。
【００５７】
このように、各ビーム５２ａ，５２ｂおよび各ポスト５３ａ，５３ｂを備えて自立可能に構成されると共に各ポスト５３ａ，５３ｂの上側端部に固定具１８Ａが取り外し可能に固定される被固定部（この例では、各ポスト５３ａ，５３ｂの上端部における挿通用孔５４の形成部位）を設けたスタンド５１を備えたことにより、固定具１８Ａをスタンド５１に固定することで油水分離装置１Ａを自立させた状態とすることができるため、固定具１８Ａによって油水分離装置１Ａを固定する壁面が存在しない環境（例えば、建物の壁面に固定具１８Ａを固定するための穴を設けたくないとき）においても両油水分離装置１Ａを使用することができる。
【００５８】
また、配管接続部１２ａ，１２ｂおよびベース部１１の少なくとも１つ（この例では、配管接続部１２ａ，１２ｂの２つ）が取り付けられる水平延出部３５を備えて固定具１８Ａを構成し、水平延出部３５の一端部を支持するポスト５３ａと、水平延出部３５の他端部を支持するポスト５３ｂとを備えてスタンド５１を構成したことにより、ブラケット３２ａの水平延出部３５がスタンド５１の各ポスト５３ａ，５３ｂを連結するビームとして機能する結果、各ポスト５３ａ，５３ｂをその上端部側で連結するためのビームが不要となる分だけスタンド５１を容易に製造することができると共に、その製造コストを十分に低減することができる。
【００５９】
また、上記の圧縮空気除湿システムＳ１Ａ，Ｓ１Ｂ（油水分離装置１Ａ，１Ｂ）では、配管接続部１２ａ，１２ｂに固定具１８Ａ，１８Ｂを取り付けた構成を採用しているが、ベース部１１に固定具１８Ａ，１８Ｂに相当する固定具を取り付けて壁面や天井面Ｘ３に固定する構成を採用することもできる。さらに、上記の圧縮空気除湿システムＳ１Ａ，Ｓ１Ｂでは、油水分離装置１Ａ，１Ｂをそれぞれ２つずつ備えて構成したが、１つの油水分離装置１Ａ，１Ｂによってドレン水から油分等を十分に除去することができるのであれば、１つの油水分離装置１Ａ，１Ｂを備えて圧縮空気除湿システムを構成することができる。
【００６０】
また、一対のポスト５３ａと、一対のポスト５３ｂとを備えたスタンド５１を例に挙げて説明したが、例えば、上記のスタンド５１における一対のポスト５３ｂだけで油水分離装置１Ａ，１Ｂを自立させる構成（スタンド５１における一対のポスト５３ａを備えていない構成：図示せず）を採用することもできる。また、例えば、１つの固定具によって油水分離装置を釣支する構成（図示せず）を採用しているときには、その１つの固定具を固定可能な被固定部が配設された１本の支柱部を備えて「スタンド」を構成することができる（支柱部が１本の構成の例：図示せず）。このように、スタンドの支柱部の本数を変更した場合においても、上記したスタンド５１と同様にして、固定具によって油水分離装置を固定する壁面や天井面が存在しない環境においても油水分離装置を使用することができる。
【００６１】
加えて、上記の例では、エアコンプレッサ２や除湿装置３から供給されるドレン水を本発明における処理対象のドレン水として分離処理する構成を採用しているが、本発明はこれに限定されず、例えば、エアコンプレッサ２と除湿装置３との間の圧縮空気供給用配管４ａや、除湿装置３と供給対象体との間の圧縮空気供給用配管４ｂにおいて生じるドレン水（結露水）を分離処理できるようにドレン水供給用配管５ａを接続して圧縮空気除湿システムＳ１Ａ，Ｓ１Ｂに供給する構成を採用することができる。
【図面の簡単な説明】
【００６２】
【図１】圧縮空気除湿システムＳ１Ａ（Ｓ１Ｂ）の構成を示す構成図である。
【図２】圧縮空気除湿システムＳ１Ａにおける油水分離装置１Ａおよび除湿装置３の側面図である。
【図３】圧縮空気除湿システムＳ１Ａにおける油水分離装置１Ａの正面および除湿装置３の背面を示す外観図である。
【図４】圧縮空気除湿システムＳ１Ａにおける油水分離装置１Ａおよび除湿装置３の平面図である。
【図５】油水分離装置１Ａ（１Ｂ）の構成を示す断面図である。
【図６】油水分離装置１Ａにおける固定具１８Ａの側面図である。
【図７】圧縮空気除湿システムＳ１Ｂにおける油水分離装置１Ｂおよび除湿装置３の正面図である。
【図８】油水分離装置１Ｂにおける固定具１８Ｂの側面図である。
【図９】スタンド５１の外観斜視図である。
【図１０】スタンド５１に油水分離装置１Ａを取り付けた状態の側面図である。
【図１１】スタンド５１に油水分離装置１Ａを取り付けた状態の正面図である。
【符号の説明】
【００６３】
Ｓ１Ａ，Ｓ１Ｂ  圧縮空気除湿システム
１Ａ，１Ｂ  油水分離装置
２  エアコンプレッサ
３  除湿装置
４ａ，４ｂ  圧縮空気供給用配管
５ａ  ドレン水供給用配管
５ｂ  ドレン水排出用配管
５ｃ  連結用配管
１１  ベース部
１２ａ，１２ｂ  配管接続部
１３  フィルタエレメント
１４  ハウジング
１８Ａ，１８Ｂ  固定具
１９  挿通用孔
３１  ステー
３２ａ，３２ｂ  ブラケット
３３  ボルト
３４  緩衝材
３５  水平延出部
４２  筐体
４２ａ  排熱孔
５１  スタンド
５２ａ〜５２ｃ  ビーム
５３ａ，５３ｂ  ポスト
５４  挿通用孔
５５  ボルト
Ｌ１〜Ｌ５，Ｌ１ａ  距離
Ｘ１  床面
Ｘ１ａ  天板上面
Ｘ２  背面パネル
Ｘ３  天井面
【図１】
0005424232.tif 000002
【図２】
0005424232.tif 000003
【図３】
0005424232.tif 000004
【図４】
0005424232.tif 000005
【図５】
0005424232.tif 000006
【図６】
0005424232.tif 000007
【図７】
0005424232.tif 000008
【図８】
0005424232.tif 000009
【図９】
0005424232.tif 000010
【図１０】
0005424232.tif 000011
【図１１】
0005424232.tif 000012